(57)【特許請求の範囲】
【請求項１】
二部材がヒンジ機構により回動可能に連結され、
前記ヒンジ機構が、前記二部材のうちの一方の部材に回動可能に設けた後で他方の部材に回動可能に連結されるアーム部材を備えている遊技機であって、
前記アーム部材は、連結ピンを備え、
該連結ピンは、前記他方の部材に対する連結にともなって前記一方の部材に対する相対位置が連結前位置から連結後位置へ軸方向に変位し、
前記一方の部材には、前記連結前位置にある連結ピンを、前記アーム部材の回動方向に関して所定の位置に保持可能なアームストッパを設け、
前記アーム部材の連結ピンの連結後位置への軸方向の変位を利用して、その連結ピンに対する前記アームストッパの保持を解放可能に構成したことを特徴とする遊技機。
【請求項２】
前記アームストッパは、前記アーム部材の連結前位置にある連結ピンを前記アーム部材の回動を利用して移動可能とする弾性を有していることを特徴とする請求項１記載の遊技機。
【発明の詳細な説明】
【０００１】
【発明の属する技術分野】
この発明は、例えば、パチンコ球を使用するパチンコ機、メダル、コイン等を使用するスロット機（スロットマシンとも呼ばれている）、あるいは、パチンコ球を使用してスロットル機とほぼ同様の遊技が行えるようにした遊技機（別名、パチスロ機、スロパチ機、パロット機等とも呼ばれている。）等の遊技機に関する。
【０００２】
【従来の技術】
パチンコ機、スロット機等の遊技機においては、例えば、外枠（本体、機枠ともいう）と内枠（前面枠ともいう）、遊技機本体と遊技部、内枠とガラス枠又は上皿、遊技盤とその裏面側に設けたパネルカバー等のように、ベースとなる本体とその本体に対して回動する扉体との関係にある二部材は、通常、ヒンジ機構によって開閉可能すなわち回動可能に連結されている。
【０００３】
遊技機においては、例えば、外枠（本体）に対し開閉可能に連結される内枠（扉体）に固定した遊技盤等の前面側に、図柄、画像等を表示する表示装置が突出する場合がある。
このような場合に、一般的なヒンジ機構によって、外枠と内枠とを一軸線回りに開閉可能に連結されたものがある。しかし、ほぼ裏返すように開かれる内枠の前面側に突出している付属部品（例えば前記表示装置）が、隣りの遊技機の付属部品（例えばカードリーダ装置）と衝突するおそれがある。このため、内枠の開放角度が小さく制限されるという不具合が生じる。
【０００４】
上記した不具合を解消するには、外枠と内枠にそれぞれ両端部を回動可能に連結するアーム部材を備えたヒンジ機構を採用すればよいことも周知である。このようなヒンジ機構を採用すれば、外枠及び内枠に対するアーム部材の回動によって、隣りの遊技機から離れる方向へ内枠の回動中心をスライドさせながら、内枠を開くことができる。したがって、隣り合わせの遊技機の付属部品同志の衝突を回避しながらも、内枠の開放開度を増大することができる。
【０００５】
上記アーム部材の組付工程としては、外枠と内枠のうちの一方の部材（例えば、内枠）にアーム部材を回動可能に取付けるアーム先付け工程と、その後でアーム部材を他方の部材（例えば、外枠）に回動可能に連結するアーム後付け工程がある。
そして、従来では、アーム先付け工程からアーム後付け工程までの間においては、一方の部材（例えば、内枠）に先付けされたアーム部材が自由状態のまま放置されている。
【０００６】
【発明が解決しようとする課題】
遊技機の製造工程においては、前記アーム部材のアーム先付け工程とアーム後付け工程との間にいくつかの中間工程が存在する。なお、中間工程としては、例えば、アーム部材が先付けされた一方の部材（例えば、内枠）に穴あけ加工を施す穴あけ工程、その一方の部材に付属部品を取付ける部品取付工程、その一方の部材に電気配線を行う配線工程等がある。
【０００７】
従来では、前にも述べたように、アーム先付け工程からアーム後付け工程までの間の中間工程において、一方の部材（例えば、内枠）に回動可能に取付けられたアーム部材が自由状態のまま放置されていた。このため、中間工程の作業時に、アーム部材がぶらぶらと揺動してしまうことから、その作業の邪魔になるという問題が残っていた。
【０００８】
なお、上記中間工程におけるアーク部材の揺動を防止する対策としては、例えば、アーム部材を一方の部材（例えば、内枠）にねじ等の固定部材で固定しておくことが容易に考えられる。しかし、固定部材による固定では、アーム部材を他方の部材（例えば、外枠）に連結する際に、固定部材を取外す手間が必要となるうえ、固定部材の取り忘れがあると、内枠の開閉動作が損なわれる等の理由から、好ましい対策とは言えない。
【０００９】
本発明が解決しようとする課題は、ヒンジ機構のアーム部材を一方の部材に回動可能に設けた後から他方の部材に回動可能に連結されるまでの間におけるアーム部材の揺動を防止することのできる遊技機を提供することにある。
【００１０】
【課題を解決するための手段】
前記課題は、特許請求の範囲の欄に記載された構成を要旨とする遊技機により解決することができる。
すなわち、請求項１に記載された遊技機によると、ヒンジ機構のアーム部材を一方の部材に回動可能に設けた後から他方の部材に回動可能に連結されるまでの間において、アーム部材に他方の部材に対する連結にともなって一方の部材に対する相対位置が連結前位置から連結後位置へ軸方向に変位する連結ピンを備えて、一方の部材に設けたアームストッパが、アーム部材の連結前位置にある連結ピンをアーム部材の回動方向に関して所定の位置に保持する。これにより、アーム部材の揺動を防止することができる。なお、本明細書でいう「ヒンジ機構」は、アーム部材を介して二部材を開閉可能に連結するだけでなく回動可能に連結する機構の全てを対象としている。
さらに、アーム部材の連結ピンの連結後位置への軸方向の変位を利用して、その連結ピンに対するアームストッパの保持が解放される。これにより、アームストッパを取外さなくても、二部材の回動動作が損なわれることがない。また、アーム部材の連結ピンに対するアームストッパの保持を解放するために、例えばアームストッパを取り外す等の余計な手間を掛ける必要もない。
【００１３】
また、請求項２に記載された遊技機によると、アームストッパが有する弾性により、アーム部材の回動を利用して連結前位置にある連結ピンを移動させることができる。したがって、アームストッパに対するアーム部材の連結前位置にある連結ピンを保持させたり、その保持を解放させたりすることができる。
【００１４】
【発明の実施の形態】
［実施の形態１］
この発明の実施の形態１を図面にしたがって説明する。実施の形態１では、パチンコ球を使用してスロット機と同様の遊技が行える遊技機を例示する。なお、この種の遊技機の基本的な構成については、例えば、特公平８−８９４１号公報、特公平８−１１１３８号公報等に開示されたものとほとんど同様の構成であるから、その詳細な説明については省略する。
【００１５】
図１に遊技機の本体と扉体の開状態を示す斜視図、図２に同じく本体と扉体の閉状態を示す正面図、図３に同じく本体と扉体の閉状態を示す背面図が示されている。
図１〜図３に示すように、ほぼ矩形枠状に枠組みされた本体２の前側には、ほぼ矩形板状の扉体１が上下のヒンジ機構３（後述する）によって開閉可能すなわち回動可能に連結されている。扉体１及び本体２は、例えば木製、合成樹脂製等により形成されている。なお、図面において、前後上下左右の各方向については、各図に矢印で示す通りに定める。また、扉体１は、本体２に閉じた状態（図２及び図３参照）において、図示しない施錠装置により施錠可能である。また、施錠装置の施錠を解除することによって、扉体１を開けることができる（図１参照）。
【００１６】
なお、図示しないが、扉体１には、３個のリールを回転可能に装備した遊技パネル、遊技を始動するスタートレバー、各リール毎に対応する各停止ボタン、球を取り込む球取込装置、球取込装置にパチンコ球を供給するための上皿の他、下皿、スピーカ等が配設されている。また、本体２には、マイクロコンピュータを使用した制御装置、制御装置等に電力を供給する電源装置、球の誘導樋等が配設されている。
また、本遊技機は、上皿からのパチンコ球（単に、球という）を取り込んだ球取込装置が、例えば所定数の球を光センサ等の検出器が確認することにより、１ゲームが可能になる。そして、スタートレバーを操作することにより、３つのリールが回転を開始した後、各停止ボタンを押して各リールを停止させる。停止された各リールの図柄の並びが特定図柄になると、スロット機のコインの代わりに、所定数の球が球払出装置によって上皿へ払い出される。なお、上皿がオーバフローしたときの球は下皿へ払い出される。
【００１７】
図１〜図３に示すように、前記扉体１には、遊技パネル（図示省略）を装着するための開口孔１ａ、スピーカ（図示省略）を装着するための開口孔１ｂ、球取込装置（図示省略）を装着するための開口孔１ｃが形成されている。さらに、扉体１には、上皿（図示省略）へ球を供給するための上皿供給口１ｄ、下皿（図示省略）へ球を排出する下皿口１ｅが形成されている。
【００１８】
次に、上記本体２と扉体１とを開閉可能に連結している上下のヒンジ機構３について説明する。なお、上下のヒンジ機構３は、ほぼ上下対称状に配置されたものであるから、上側のヒンジ機構３について述べることにし、下側のヒンジ機構３についての説明は省略する。
【００１９】
図１に示すように、ヒンジ機構３は、前記扉体１に取り付けられる扉体側取付プレート１０と、前記本体２に取り付けられる本体側取付プレート２０と、扉体側取付プレート１０及び本体側取付プレート２０を回動可能に連結するアーム部材３０とから構成されている。以下、順に説明する。
【００２０】
まず、扉体側取付プレート１０を説明する。扉体側取付プレート１０は、金属製であり、取付片部１０ａ（図２参照）と連結片部１０ｂ（図１参照）と有する断面ほぼＬ字板状に形成されている。
扉体側取付プレート１０は、図１及び図２に示すように、連結片部１０ｂを扉体１の左上隅角部の上端面に沿わせた状態で、取付片部１０ａを扉体１の左上隅角部の前面に対しねじ、ビス等の固定手段によって固定することによって、扉体１に装着されている。
【００２１】
また、図８に扉体１の斜視図、図１０に同じく背面図が示されている。図８及び図１０に示すように、扉体側取付プレート１０の連結片部１０ｂの左端部の上面には、案内ピン１１が突出されている。
【００２２】
次に、アーム部材３０を説明する。図８及び図１０に示されるアーム部材３０は、金属製であり、ほぼ長細板状に形成されている。アーム部材３０の一端部は、前記扉体側取付プレート１０における連結片部１０ｂの下面のほぼ中央部に対し取付軸３１を介して回動可能に取付けられている。なお、アーム部材３０は長細板状以外の形状に変更してもよい。
また、図９に図８のＩＸ矢視部の部分拡大図を示すように、アーム部材３０の他端部には、連結ピン３５（後述する）を挿通するためのピン孔３２が形成されている。
【００２３】
次に、本体側取付プレート２０を説明する。図４にアーム部材の連結状態を示す扉体の斜視図、図６に同じく背面図が示されている。図４及び図６に示される本体側取付プレート２０は、金属製であり、取付片部２０ａと連結片部２０ｂと有する断面ほぼＬ字状に形成されている。
本体側取付プレート２０は、図３に示すように、取付片部２０ａを前記本体２における左枠部２ａの上端部の外側面にねじ、ビス等の固定手段によって固定するとともに、連結片部２０ｂを前記本体２における上枠部２ｂの左端部の上面にねじ、ビス等の固定手段によって固定することによって、本体２に装着されている。
【００２４】
なお、下側のヒンジ機構３における本体側取付プレート２０は、上側の本体側取付プレート２０と若干形状が異なっている。この本体側取付プレート２０は、取付片部２０ａ（図１参照）を前記本体２における左枠部２ａの下端部の内側面にねじ、ビス等の固定手段によって固定するとともに、連結片部２０ｂ（図３参照）を前記本体２における下枠部２ｃの裏面にねじ、ビス等の固定手段によって固定することによって、本体２に装着されている。
【００２５】
図５に図４のＶ矢視部の部分拡大図を示すように、前記本体側取付プレート２０における連結片部２０ｂの左端部には、連結ピン３５（後述する）を挿通するためのピン孔２２が形成されている。
また、本体側取付プレート２０における連結片部２０ｂの左半部の前縁部には、下面開口状をなしかつ左右方向に直線状に延びる案内溝（図示省略）が形成されている。この案内溝に対し前記扉体側取付プレート１０の連結片部１０ｂの案内ピン１１が回動可能にかつ左右方向にスライド可能に係合されている。
【００２６】
図４及び図６に示すように、前記本体側取付プレート２０と前記アーム部材３０とは、次に述べる連結ピン３５によって回動可能に連結されている。
図６のＶＩＩ矢視部の部分拡大図を示した図７において、連結ピン３５は、ほぼ円板状の頭部３５ａと、その頭部３５ａの軸心上に突出する大径軸部３５ｂと、その大径軸部３５ｂ上に突出する小径軸部３５ｃと、その小径軸部３５ｃの先端部において径方向（図７において紙面表裏方向）に突出する抜け止めピン３５ｄを有している。
【００２７】
図７に示すように、前記本体側取付プレート２０のピン孔２２には、前記連結ピン３５の小径軸部３５ｃが上向き方向に挿通されている。そのピン孔２２には、連結ピン３５の小径軸部３５ｃの抜け止めピン３５ｄが通過可能な凹部２２ａが形成されている。
また、前記アーム部材３０のピン孔３２には、前記連結ピン３５の小径軸部３５ｃが、前記本体側取付プレート２０のピン孔２２への挿入に先立って挿通されている。なお、アーム部材３０のピン孔３２には、前記本体側取付プレート２０のピン孔２２の凹部２２ａと同様の凹部（図示省略）が形成されている。
【００２８】
前記連結ピン３５は、その小径軸部３５ｃを抜け止めピン３５ｄとともに、前記アーム部材３０のピン孔３２に凹部（図示省略）を利用して挿通させた後、前記本体側取付プレート２０のピン孔２２に凹部２２ａを利用して挿通させたうえで、所定角度（例えば９０°）で回動させる。これによって、図５に示すように、本体側取付プレート２０のピン孔２２の凹部２２ａに対する抜け止めピン３５ｄの位置がずれることによって、連結ピン３５がアーム部材３０に対して抜け止めされる。この状態では、本体側取付プレート２０の連結片部２０ｂの上面に突出されたほぼ半球状をなす一対の凸部２３の相互間に、連結ピン３５の抜け止めピン３５ｄが置かれる（図７参照）。これによって、連結ピン３５の不用な軸回りの回動が防止される。
【００２９】
しかして、図７に示すように、前記アーム部材３０のピン孔３２に対する前記連結ピン３５の挿入に先立って、連結ピン３５にはコイルばね３８が嵌合されている。コイルばね３８は、連結ピン３５の頭部３５ａとアーム部材３０との間に圧縮状態に置かれる。このコイルばね３８の弾性によって、連結ピン３５の抜け止めピン３５ｄが、常には、前記本体側取付プレート２０の連結片部２０ｂの上面に当接する状態、すなわち連結片部２０ｂの凸部２３の相互間に置かれた状態に保持される。
【００３０】
上記したように、遊技機の本体２と扉体１とが上下のヒンジ機構３により開閉可能に連結されている（図１参照）。
したがって、本体２に閉じられた扉体１は、連結ピン３５及び取付軸３１（図８参照）のそれぞの軸回りのアーム部材３０の回動によって、回動支点である扉体側取付プレート１０の案内ピン１１（図８及び図１０参照）を、図１において左から右方へ本体側取付プレート２０の案内溝（図示省略）に沿ってスライドさせながら開けることができる。このため、隣りに配置した遊技機の付属部品（例えばカードリーダ装置）に対する扉体１の付属部品（例えば表示装置）の衝突を回避しながらも、扉体の開放開度を増大することができる。
【００３１】
ところで、前記アーム部材３０の組付け工程としては、扉体１にアーム部材３０を回動可能に取付けるアーム先付け工程と、その後でアーム部材３０を本体２に回動可能に連結するアーム後付け工程が必要である。そして、アーム先付け工程とアーム後付け工程との間において、扉体１の扉体側取付プレート１０に対し取付軸３１を介して回動可能に取付けられたアーム部材３０が、自由状態のまま放置されていては、ぶらぶらと揺動することになる。なお、このときの連結ピン３５は、コイルばね３８の弾性によって、抜け止めピン３５ｄがアーム部材３０（詳しくは、ピン孔３２の周辺部）の上面に当接した状態すなわち連結前位置に保持される（図９参照）。また、連結ピン３５は、扉体１に対する相対位置が連結前位置（図１１参照）から連結後位置（図７参照）へ軸方向（図７において上方）に移動すなわち変位するとともに、軸回り方向に回動すなわち変位するものであり、本明細書でいう「変位部」に相当する。
【００３２】
上記アーム部材３０の揺動を防止するために、本実施の形態では、前記扉体１に対し次に詳述するアームストッパ４０が設けられている（図８及び図１０参照）。なお、図１１に図１０のＸＩ矢視部の部分拡大図、図１２に図１１のＸＩＩ−ＸＩＩ線断面図が示されている。
【００３３】
図１１及び図１２に示されているアームストッパ４０は、樹脂製であり、ほぼ四角形板状の取付板部４１、及び、その取付板部４１の一側縁部から垂直状に突出された突片状のストッパ片４２を一体成形してなる。ストッパ片４２の先端部は、前記連結ピン３５の頭部３５ａの外周面の一部に倣うようになだらかに曲がっている。また、ストッパ片４２は、その曲がり方向とは反対の方向へ弾性変形いわゆる撓み変形可能に形成されている（図１２中、二点鎖線４２参照）。
【００３４】
前記アームストッパ４０は、取付板部４１が前記扉体１の裏面に対してねじ、釘、接着剤等の固定手段を介して固定されている。アームストッパ４０のストッパ片４２は、前記扉体１に対する前記アーム部材３０の折り畳み状態（図８の実線３０参照）において、前記連結前位置にある連結ピン３５の頭部３５ａの外周面（詳しくは、取付軸３１（図１０参照）側に位置する外周面）に対し接触される（図９及び図１１参照）。この状態では、扉体１の扉体側取付プレート１０に対して、アーム部材３０が折り畳まれた状態（図８の実線３０参照）に保持される。なお、図９及び図１１に示すように、ストッパ片４２における連結ピン３５の頭部３５ａに対する反接触側の面の中央部には、ストッパ片４２の基端部から先端部に向かって直線状に延びるリブ４２Ａが形成されている。
【００３５】
また、アームストッパ４０のストッパ片４２が弾性変形いわゆる撓み変形可能に形成されている（図１２中、二点鎖線４２参照）。
したがって、アーム部材３０を展開する方向（図９及び図１２における矢印Ｙ方向参照）へ回動させると、連結ピン３５の頭部３５ａがアームストッパ４０のストッパ片４２に対して摺動していきながら、そのストッパ片４２を弾性変形させる。これによって、連結ピン３５の頭部３５ａがストッパ片４２から抜け外れた後、ストッパ片４２が原状位置に弾性復元する。
上記のように、ストッパ片４２の前記弾性を利用して、連結ピン３５の頭部３５ａがストッパ片４２から抜け外れることにより、連結ピン３５の頭部３５ａに対するストッパ片４２の保持を解放することができる（図８中、二点鎖線３０参照）。
【００３６】
続いて、アーム部材３０を扉体１に折り畳む方向（図９及び図１２における矢印Ｙ方向と反対の方向）へ回動させると、連結ピン３５の頭部３５ａが、アームストッパ４０のストッパ片４２の先端部に当接しながら相対的に摺動していきながら、そのストッパ片４２を弾性変形させる。これにより、連結ピン３５の頭部３５ａがストッパ片４２の内側に入り込んた後、ストッパ片４２が原状位置に弾性復元することによって、連結ピン３５が保持される（図１１及び図１２参照）。
【００３７】
また、図５及び図７に示すように、前記連結ピン３５が前記本体側取付プレート２０の連結片部２０ｂに連結されるときは、連結ピン３５が軸方向（図において上方）に移動されかつ軸回りに所定角度で回動される。そして、連結ピン３５の上昇にともない、その頭部３５ａがアームストッパ４０のストッパ片４２から離れた位置へ上昇する。したがって、連結ピン３５の頭部３５ａが、ストッパ片４２との接触を回避することができる。これにより、連結ピン３５に対するアームストッパ４０の保持が解放されるため、本体２と扉体１との開閉に連動してアーム部材３０が作動することができる。
【００３８】
上記した遊技機によると、ヒンジ機構３のアーム部材３０を扉体１に回動可能に設けた後から本体２に回動可能に連結されるまでの間の中間工程において、扉体１に設けたアームストッパ４０が、アーム部材３０の連結前位置にある連結ピン３５（詳しくは頭部３５ａ）を、アーム部材３０の回動方向に関して所定の位置すなわち折り畳み位置に保持する（図９及び図１１参照）。これにより、アーム部材３０の揺動を防止することができ、ひいては中間工程での作業性を向上することができる。なお、中間工程としては、例えば、アーム部材３０が先付けされた扉体１に穴あけ加工を施す穴あけ工程、その扉体１に付属部品を取付ける部品取付工程、その扉体１に電気配線を行う配線工程等がある。
【００３９】
さらに、アーム部材３０の連結ピン３５（詳しくは頭部３５ａ）の連結後位置への変位を利用して、その連結ピン３５に対するアームストッパ４０の保持が解放される（図５及び図７参照）。これにより、アームストッパ４０を取外さなくても、本体２に対する扉体１の開閉動作すなわち回動動作が損なわれることがない。また、アーム部材３０の連結ピン３５（詳しくは頭部３５ａ）に対するアームストッパ４０の保持を解放するために、例えばアームストッパ４０を取り外す等の余計な手間を掛ける必要もない。
【００４０】
また、本体２に対して回動可能に連結されかつアーム部材３０に連結前位置から連結後位置へ軸方向に変位可能に設けられる連結ピン３５を、アーム部材３０に備えた軸方向の変位部として流用することができる。
【００４１】
また、アームストッパ４０のストッパ片４２は、アーム部材３０の連結前位置にある連結ピン３５の頭部３５ａを、アーム部材３０の回動を利用して移動可能とする弾性を有している（図１２中、二点鎖線４２参照）。このため、アームストッパ４２が有する弾性により、アーム部材３０の回動を利用して連結前位置にある連結ピン３５を移動させることができる。したがって、アームストッパ４０に対するアーム部材３０の連結前位置にある連結ピン３５の頭部３５ａを保持させたり、その保持を解放させたりすることができる。
【００４２】
［実施の形態２］
この発明の実施の形態２を図１３の説明図にしたがって説明する。なお、実施の形態２は、実施の形態１におけるアームストッパ４０のストッパ片４２と連結ピン３５の頭部３５ａとの係合関係に変更を加えたものであるからその変更部分について詳述し、重複する説明は省略する。
【００４３】
図１３に示すように、アームストッパ４０のストッパ片４２を、連結前位置にある連結ピン３５の頭部３５ａ（図１３中、二点鎖線３５ａ参照）の端面に当接する位置に配置する。ストッパ片４２の先端部の上面には、ほぼ円錐状の係合凸部４２ａが形成されている。また、ストッパ片４２は、係合凸部４２ａの突出方向とは反対の方向（図１３において下方）へ弾性変形いわゆる撓み変形可能に形成されている（図１３中、二点鎖線４２参照）。
【００４４】
また、連結ピン３５の頭部３５ａの端面すなわち下面の中央部には、前記アームストッパ４０のストッパ片４２の係合凸部４２ａに嵌合可能な係合凹部３５ｅが形成されている。
【００４５】
実施の形態２によると、連結前位置にある連結ピン３５の頭部３５ａ（図１３中、二点鎖線３５ａ参照）の係合凹部３５ｅに、アームストッパ４０のストッパ片４２の係合凸部４２ａが接触すなわち嵌合される。この状態では、アーム部材３０が、扉体１の扉体側取付プレート１０に対して折り畳んだ状態に保持されることにより、アーム部材３０の揺動が防止される（図８参照）。
【００４６】
また、アームストッパ４０のストッパ片４２が弾性変形いわゆる撓み変形可能に形成されている（図１３中、二点鎖線４２参照）。
したがって、アーム部材３０を展開する方向（図９及び図１２における矢印Ｙ方向参照）へ回動させると、連結ピン３５の頭部３５ａにおける係合凹部３５ｅの斜面が、アームストッパ４０のストッパ片４２の係合凸部４２ａに対して摺動していきながら、そのストッパ片４２を弾性変形させる。そして、連結ピン３５の頭部３５ａの端面が、アームストッパ４０のストッパ片４２の係合凸部４２ａの先端部を摺動し終えることによって、ストッパ片４２の係合凸部４２ａから連結ピン３５の頭部３５ａが抜け外れる。その後、ストッパ片４２は、原状位置に弾性復元する。
上記のように、ストッパ片４２の前記弾性を利用して、連結ピン３５の頭部３５ａがストッパ片４２の係合凸部４２ａから抜け外れることにより、連結ピン３５の頭部３５ａに対するストッパ片４２の係合凸部４２ａの保持を解放することができる（図８中、二点鎖線３０参照）。
【００４７】
続いて、アーム部材３０を扉体１に折り畳む方向（図９及び図１２における矢印Ｙ方向と反対の方向）へ回動させると、連結ピン３５の頭部３５ａがアームストッパ４０のストッパ片４２における係合凸部４２ａの斜面に当接しながら相対的に摺動していきながら、そのストッパ片４２を弾性変形させる。そして、連結ピン３５の頭部３５ａの端面が、ストッパ片４２における係合凸部４２ａの先端部を摺動していき、係合凹部３５ｅにストッパ片４２の係合凸部４２ａが対応することによって、ストッパ片４２が原状位置に弾性復元する。これにより、連結ピン３５の頭部３５ａの係合凹部３５ｅにストッパ片４２の係合凸部４２ａが嵌合し、連結ピン３５が保持される（図１１及び図１２参照）。
【００４８】
また、連結ピン３５が連結後位置（図１３中、実線３５参照）に変化すると、連結ピン３５の上昇にともない、その頭部３５ａがアームストッパ４０のストッパ片４２から離れた位置へ上昇する。したがって、連結ピン３５の頭部３５ａが、ストッパ片４２との接触を回避し、ストッパ片４２の係合凸部４２ａに対する連結ピン３５の頭部３５ａの係合凹部３５ｅの係合を解除することができる。これにより、連結ピン３５に対するアームストッパ４０の保持が解放される。
【００４９】
上記した実施の形態２によっても実施の形態１と同様の作用効果を得ることができる。
【００５０】
［実施の形態３］
この発明の実施の形態３を図１４及び図１５にしたがって説明する。なお、実施の形態３は、実施の形態１における連結ピン３５の頭部３５ａの形状に変更を加えたものであるからその変更部分について詳述し、重複する説明は省略する。
図１４及び図１５に示すように、前記実施の形態１における連結ピン３５の頭部３５ａの相反する外周部分を切除することにより、その頭部３５ａに相互に平行状をなす一対の平坦面３５ｆが設けられている。これにより、連結ピン３５の頭部３５ａが、外周部分が切除されない円弧部の外径よりも幅の狭い二面幅部を有するほぼ長円形状に形成されている。
【００５１】
実施の形態３によると、連結前位置にある連結ピン３５の頭部３５ａ（図１４中、二点鎖線３５ａ参照）における平坦面３５ｆ以外の円弧部の外周面に、アームストッパ４０のストッパ片４２が接触する。この状態では、アーム部材３０が、扉体１の扉体側取付プレート１０に対して折り畳んだ状態に保持されることにより、アーム部材３０の揺動が防止される（図８参照）。
【００５２】
また、連結ピン３５が連結後位置（図１４中、実線３５参照）に上昇して軸回り方向に所定角度（すなわち９０°）で回動されると、その頭部３５ａの一方の平坦面３５ｆがストッパ片４２に対応する。したがって、連結ピン３５の頭部３５ａが、ストッパ片４２との接触を回避することができる。これにより、連結ピン３５に対するアームストッパ４０の保持が解放される。
【００５３】
上記した実施の形態３によっても、実施の形態１と同様の作用効果を得ることができる。
また、実施の形態３によると、本体２に対して回動可能に連結されかつアーム部材３０に連結前位置から連結後位置へ軸回り方向に変位可能に設けられる連結ピン３５を、アーム部材に備えた軸回り方向の変位部として流用することができる。
【００５４】
また、アームストッパ４０のストッパ片４２としては、連結ピン３５の頭部３５ａの下降位置（連結前位置）のみならず、その頭部３５ａの上昇位置においても対応するような幅寸法（図１４において上下方向の寸法）及び／又は配置関係をもって配置しても差し支えない。このため、アームストッパ４０の幅寸法、及び／又は、アームストッパ４０の上下方向に関する配置にかかる自由度を増大することが可能である。
【００５５】
また、連結ピン３５の頭部３５ａには、相互に平行状をなす平坦面３５ｆを形成している。このため、連結ピン３５が連結後位置（図１４中、実線３５参照）に上昇して軸回り方向のどちら回り方向にでも所定角度（すなわち９０°）で回動すれば、その頭部３５ａの一方の平坦面３５ｆをストッパ片４２に対応させることができて便利である。なお、連結ピン３５の頭部３５ａの平坦面３５ｆの個数を増減することが可能である。
【００５６】
本発明は前記実施の形態に限定されるものではなく、本発明の要旨を逸脱しない範囲における変更が可能である。例えば、本発明は、パチンコ球を使用してスロット機と同様の遊技が行える遊技機に限定されるものではなく、パチンコ球を使用するパチンコ機、メダル、コイン等を使用するスロット機等の遊技機にも適用することができる。また、本発明は、扉体１と本体２との関係にある二部材に広く適用でき、例えば内枠とガラス枠、内枠と上皿、遊技盤とその裏面側に設けたパネルカバー、遊技盤と基板ボックス等の回動する関係にある二部材に適用することができる。また、アーム部材３０を本体２に回動可能に設けた後で扉体１に回動可能に連結するようにしてもよい。この場合のアームストッパ４０は、本体２に設けられる。また、アーム先付け工程とアーム後付け工程との間の中間工程の有無は本発明の要旨を左右するものではない。
【００５７】
また、アームストッパ４０は、アーム部材３０自体が扉体１に対する連結前位置と連結後位置とで変位可能に設けられていれば、アーム部材３０に対し連結ピン３５を軸方向の移動を規制した状態で設けることが可能となる。また、アーム部材３０自体を変位部として取り扱うこともできる。また、アーム部材３０の変位部として、連結ピン３５又はアーム部材３０自体以外の専用の変位部を設定することもできる。また、アームストッパ４０のストッパ片４２は、弾性を有していないものであってもよい。また、上記実施の形態では、扉体１に設けたアームストッパ４０が、アーム部材３０の連結前位置にある連結ピン３５（詳しくは頭部３５ａ）をアーム部材３０の折り畳み位置に保持したが、そのアーム部材３０の回動位置は折り畳み位置以外の位置に設定することもできる。また、扉体１に設けたアームストッパ４０を、アーム部材３０の連結前位置にある連結ピン３５（例えば頭部３５ａ）に対し、接触あるいは当接若しくは係合の他、嵌合させることによって、連結ピン３５をアーム部材３０の回動方向に関して所定の位置に保持することも考えられる。
【００５８】
【発明の効果】
以上述べたように、この発明によれば、ヒンジ機構のアーム部材を二部材のうちの一方の部材に回動可能に設けた後から他方の部材に回動可能に連結されるまでの間において、アーム部材の揺動を防止することができる。
さらに、この発明によれば、アーム部材の連結ピンの連結後位置への軸方向の変位を利用して、その連結ピンに対するアームストッパの保持が解放されることにより、アームストッパを取外さなくても、二部材の回動動作が損なわれることがない。また、アーム部材の連結ピンに対するアームストッパの保持を解放するために、例えばアームストッパを取り外す等の余計な手間を掛ける必要もない。
【図面の簡単な説明】
【図１】この発明の実施の形態１に係る遊技機の本体と扉体の開状態を示す斜視図である。
【図２】同じく本体と扉体の閉状態を示す正面図である。
【図３】同じく本体と扉体の閉状態を示す背面図である。
【図４】アーム部材の連結状態を示す扉体の斜視図である。
【図５】図４のＶ矢視部の部分拡大図である。
【図６】アーム部材の連結状態を示す扉体の背面図である。
【図７】図６のＶＩＩ矢視部の部分拡大図である。
【図８】アーム部材の取付状態を示す扉体の斜視図である。
【図９】図８のＩＸ矢視部の部分拡大図である。
【図１０】アーム部材の取付状態を示す扉体の背面図である。
【図１１】図１０のＸＩ矢視部の部分拡大図である。
【図１２】図１１のＸＩＩ−ＸＩＩ線断面図である。
【図１３】この発明の実施の形態２を示す説明図である。
【図１４】この発明の実施の形態３を示す説明図である。
【図１５】図１４のＸＶ−ＸＶ線断面図である。
【符号の説明】
１  扉体（二部材のうちの一方の部材）
２  本体（二部材のうちの他方の部材）
３  ヒンジ機構
１０  扉体側取付プレート
２０  本体側取付プレート
３０  アーム部材
３５  連結ピン（変位部）
４０  アームストッパ
【図１】
0004470352.tif 000002
【図２】
0004470352.tif 000003
【図３】
0004470352.tif 000004
【図４】
0004470352.tif 000005
【図５】
0004470352.tif 000006
【図６】
0004470352.tif 000007
【図７】
0004470352.tif 000008
【図８】
0004470352.tif 000009
【図９】
0004470352.tif 000010
【図１０】
0004470352.tif 000011
【図１１】
0004470352.tif 000012
【図１２】
0004470352.tif 000013
【図１３】
0004470352.tif 000014
【図１４】
0004470352.tif 000015
【図１５】
0004470352.tif 000016